(57)【要約】【課題】イベントごとの動画データを所定のＷｅｂページに集約して公開すると共に、当該Ｗｅｂページの閲覧者が、所望の動画データを見つけやすいシステムを提供する。【解決手段】投稿者端末２から、イベントＩＤと動画データとを受信すると、撮影日時情報取得部１０５により動画データの撮影開始日時情報を取得すると共に、サムネイル生成部１０８により動画データのサムネイルを生成する。生成されたサムネイルは、イベントごとのＷｅｂページにアップロードされる。この際、Ｗｅｂページ中にアップロードされたサムネイルは、各サムネイルに対応する動画データの撮影開始日時順に並べて表示される。  閲覧者端末３から、所定のイベントのＷｅｂページの閲覧要求を受信すると、該当するＷｅｂページを送信し、Ｗｅｂページ上に表示されたサムネイルに対応する動画データの配信要求に応じて、該当する動画データを閲覧者端末２に対して配信する。【選択図】図２
2013047944.tif 000002
【特許請求の範囲】
【請求項１】
撮影開始日時情報をメタデータに含む動画データを投稿する投稿者が利用する複数の投稿者端末と、当該投稿された動画データを閲覧する閲覧者が利用する閲覧者端末と、ネットワークを介して通信可能に構成され、イベントごとに用意されたＷｅｂページ上において、投稿された動画データを公開する装置であって、
上記動画データと、上記動画データのサムネイルと、上記動画データの撮影開始日時情報とを関連付けて記憶する動画情報記憶手段と、
上記イベントを識別するイベント識別情報と、イベントごとに用意されたＷｅｂページであって、上記投稿者によって投稿された動画データのサムネイルを表示するＷｅｂページと、上記イベントの開催時間帯情報とを相互に関連付けて記憶するイベント情報記憶手段と、
上記投稿者端末から、イベント識別情報と、動画データとを受信する動画データ受信手段と、
上記動画データの撮影開始日時情報を取得する撮影日時情報取得手段と、
上記イベント情報記憶手段を参照して、上記受信したイベント識別情報に係るイベントの開催時間帯情報を抽出するイベント情報抽出手段と、
上記抽出したイベントの開催時間帯情報と、上記動画データの撮影開始日時情報に基づき、上記イベントの開催時間帯に、上記動画データが撮影されていたか否かを判断し、上記動画データが上記イベントの開催時間帯に撮影されたものでなかった場合には、当該動画データの投稿の受付を拒否する判断処理手段と、
上記判断処理の結果、上記イベントの開催時間帯に上記動画データが撮影されていたときに、上記動画データのサムネイルを生成するサムネイル生成手段と、
上記動画データのサムネイルの生成に応じて、上記受信した動画データと、上記生成したサムネイルと、上記取得した撮影開始日時情報とを関連付けて上記動画情報記憶手段に登録する動画情報登録手段と、
上記イベント情報記憶手段を参照して、上記受信したイベント識別情報と関連付けられたＷｅｂページを特定するページ特定手段と、
上記受信した動画データの登録に応じて、上記特定したＷｅｂページを、上記動画情報記憶手段に記憶されている全ての動画データのサムネイルを上記動画データの撮影開始日時順に並べて表示させたＷｅｂページに更新するページ更新手段と、
上記閲覧者端末から、所定のイベントのＷｅｂページの閲覧要求を受信する閲覧要求受信手段と、
上記イベント情報記憶手段を参照して、上記閲覧要求されたＷｅｂページを抽出するページ抽出手段と、
上記閲覧者端末に対して、上記抽出したＷｅｂページを送信するＷｅｂページ送信手段と、
上記閲覧者端末から、上記Ｗｅｂページ中の動画データのうち、所定の撮影時間帯に撮影された動画データの検索要求を受信する検索要求受信手段と、
上記動画情報記憶手段を参照して、上記所定の撮影時間帯に撮影された動画データの検索結果を、上記閲覧者端末に対して送信する検索結果送信手段と、を有する、
ことを特徴とする動画公開装置。
【請求項２】
上記動画データのメタデータにはさらに、撮影終了日時情報又は再生時間情報が含まれ、
上記判断処理手段は、上記抽出したイベントの開催時間帯情報と、上記動画データの撮影開始日時情報と、上記撮影終了日時情報又は再生時間情報とから導かれる上記動画データの撮影時間帯とに基づき、上記イベントの開催時間帯と上記動画データの撮影時間帯とが重複するか否かを判断し、上記イベントの開催時間帯と上記動画データの撮影時間帯とに重複する時間がなかった場合には、当該動画データの投稿の受付を拒否し、
上記撮影日時情報取得手段は、上記動画データの撮影開始日時情報と、上記撮影終了日時情報又は再生時間情報とを取得し、
上記サムネイル生成手段は、上記判断処理の結果、上記イベントの開催時間帯と上記動画データの撮影時間帯とに重複する時間があったときに、上記動画データのサムネイルを生成する、
請求項１記載の動画公開装置。
【請求項３】
上記イベント識別情報は、各イベントに固有のメールアドレスとして構成され、
上記動画データ受信手段は、上記投稿者端末から、動画データが添付され、上記イベント識別情報を宛先とした電子メールを受信し、
上記ページ特定手段は、上記イベント情報記憶手段を参照して、上記電子メールのメールアドレスとして構成されたイベント識別情報と関連付けられたＷｅｂページを特定する、
請求項１又は２記載の動画公開装置。
【請求項４】
上記イベント識別情報を発行するイベント識別情報発行手段、をさらに有する、
請求項１乃至３いずれかの項に記載の動画公開装置。
【請求項５】
上記動画データの受信日時情報を取得する受信日時情報取得手段と、
上記動画情報登録手段によって上記受信した動画データを上記動画情報記憶手段に登録したことにより、上記動画情報記憶手段に記憶されている動画データの数が所定の数を超えたときに、上記動画情報記憶手段に記憶されている動画データを、受信日時が古いものから順に、上記所定の数を超えた分だけ削除する削除処理手段と、をさらに有し、
上記動画情報記憶手段は、上記動画データと、上記動画データのサムネイルと、上記動画データの撮影開始日時情報と、上記動画データの受信日時情報とを関連付けて記憶し、
上記動画情報登録手段は、上記動画データのサムネイルの生成に応じて、上記受信した動画データと、上記生成したサムネイルと、上記取得した撮影開始日時情報と、上記取得した受信日時情報とを関連付けて上記動画情報記憶手段に登録する、
請求項１乃至４いずれかの項に記載の動画公開装置。
【請求項６】
上記投稿者又は閲覧者には、上記投稿者又は閲覧者を識別するユーザ識別情報が発行されており、
上記ページ抽出手段により抽出したＷｅｂページにおいて、上記動画情報記憶手段を参照し、上記閲覧要求受信手段により上記閲覧者端末から受信したユーザ識別情報と同一のユーザ識別情報と関連付けられたサムネイルを特定すると共に、当該サムネイルに対し、他のサムネイルと区別するための識別効果を設定する識別効果設定手段、をさらに有し、
上記動画データ受信手段は、上記投稿者端末から、ユーザ識別情報と、イベント識別情報と、動画データとを受信し、
上記動画情報記憶手段は、上記ユーザ識別情報と、上記動画データと、上記動画データのサムネイルと、上記動画データの撮影開始日時情報と、取得した場合には上記動画データの受信日時情報とを関連付けて記憶し、
上記閲覧要求受信手段は、上記閲覧者端末から、上記ユーザ識別情報と共に、所定のイベントのＷｅｂページの閲覧要求を受信し、
上記Ｗｅｂページ送信手段は、上記閲覧者端末に対して、上記識別効果が設定されたＷｅｂページを送信する、
請求項１乃至５いずれかの項に記載の動画公開装置。
【請求項７】
撮影開始日時情報をメタデータに含む動画データを投稿する投稿者が利用する複数の投稿者端末と、当該投稿された動画データを閲覧する閲覧者が利用する閲覧者端末と、ネットワークを介して通信可能に構成され、
上記動画データと、上記動画データのサムネイルと、上記動画データの撮影開始日時情報とを関連付けて記憶する動画情報記憶手段と、上記イベントを識別するイベント識別情報と、イベントごとに用意されたＷｅｂページであって、上記投稿者によって投稿された動画データのサムネイルを表示するＷｅｂページと、上記イベントの開催時間帯情報とを相互に関連付けて記憶するイベント情報記憶手段と、を有するコンピュータにより、
イベントごとに用意されたＷｅｂページ上において、投稿された動画データを公開する方法であって、
上記投稿者端末から、イベント識別情報と、動画データとを受信する処理と、
上記動画データの撮影開始日時情報を取得する処理と、
上記イベント情報記憶手段を参照して、上記受信したイベント識別情報に係るイベントの開催時間帯情報を抽出する処理と、
上記抽出したイベントの開催時間帯情報と、上記動画データの撮影開始日時情報に基づき、上記イベントの開催時間帯に、上記動画データが撮影されていたか否かを判断し、上記動画データが上記イベントの開催時間帯に撮影されたものでなかった場合には、当該動画データの投稿の受付を拒否する処理と、
上記判断処理の結果、上記イベントの開催時間帯に上記動画データが撮影されていたときに、上記動画データのサムネイルを生成する処理と、
上記動画データのサムネイルの生成に応じて、上記受信した動画データと、上記生成したサムネイルと、上記取得した撮影開始日時情報とを関連付けて上記動画情報記憶手段に登録する処理と、
上記イベント情報記憶手段を参照して、上記受信したイベント識別情報と関連付けられたＷｅｂページを特定する処理と、
上記受信した動画データの登録に応じて、上記特定したＷｅｂページを、上記動画情報記憶手段に記憶されている全ての動画データのサムネイルを上記動画データの撮影開始日時順に並べて表示させたＷｅｂページに更新する処理と、
上記閲覧者端末から、所定のイベントのＷｅｂページの閲覧要求を受信する処理と、
上記イベント情報記憶手段を参照して、上記閲覧要求されたＷｅｂページを抽出する処理と、
上記閲覧者端末に対して、上記抽出したＷｅｂページを送信する処理と、
上記閲覧者端末から、上記Ｗｅｂページ中の動画データのうち、所定の撮影時間帯に撮影された動画データの検索要求を受信する処理と、
上記動画情報記憶手段を参照して、上記所定の撮影時間帯に撮影された動画データの検索結果を、上記閲覧者端末に対して送信する処理と、を実行する、
ことを特徴とする動画公開方法。
【請求項８】
撮影開始日時情報をメタデータに含む動画データを投稿する投稿者が利用する複数の投稿者端末と、当該投稿された動画データを閲覧する閲覧者が利用する閲覧者端末と、ネットワークを介して通信可能に構成され、
上記動画データと、上記動画データのサムネイルと、上記動画データの撮影開始日時情報とを関連付けて記憶する動画情報記憶手段と、上記イベントを識別するイベント識別情報と、イベントごとに用意されたＷｅｂページであって、上記投稿者によって投稿された動画データのサムネイルを表示するＷｅｂページと、上記イベントの開催時間帯情報とを相互に関連付けて記憶するイベント情報記憶手段と、を有するコンピュータを、
イベントごとに用意されたＷｅｂページ上において、投稿された動画データを公開する動画公開装置として機能させるためのプログラムであって、
上記コンピュータに、
上記投稿者端末から、イベント識別情報と、動画データとを受信する処理と、
上記動画データの撮影開始日時情報を取得する処理と、
上記イベント情報記憶手段を参照して、上記受信したイベント識別情報に係るイベントの開催時間帯情報を抽出する処理と、
上記抽出したイベントの開催時間帯情報と、上記動画データの撮影開始日時情報に基づき、上記イベントの開催時間帯に、上記動画データが撮影されていたか否かを判断し、上記動画データが上記イベントの開催時間帯に撮影されたものでなかった場合には、当該動画データの投稿の受付を拒否する処理と、
上記判断処理の結果、上記イベントの開催時間帯に上記動画データが撮影されていたときに、上記動画データのサムネイルを生成する処理と、
上記動画データのサムネイルの生成に応じて、上記受信した動画データと、上記生成したサムネイルと、上記取得した撮影開始日時情報とを関連付けて上記動画情報記憶手段に登録する処理と、
上記イベント情報記憶手段を参照して、上記受信したイベント識別情報と関連付けられたＷｅｂページを特定する処理と、
上記受信した動画データの登録に応じて、上記特定したＷｅｂページを、上記動画情報記憶手段に記憶されている全ての動画データのサムネイルを上記動画データの撮影開始日時順に並べて表示させたＷｅｂページに更新する処理と、
上記閲覧者端末から、所定のイベントのＷｅｂページの閲覧要求を受信する処理と、
上記イベント情報記憶手段を参照して、上記閲覧要求されたＷｅｂページを抽出する処理と、
上記閲覧者端末に対して、上記抽出したＷｅｂページを送信する処理と、
上記閲覧者端末から、上記Ｗｅｂページ中の動画データのうち、所定の撮影時間帯に撮影された動画データの検索要求を受信する処理と、
上記動画情報記憶手段を参照して、上記所定の撮影時間帯に撮影された動画データの検索結果を、上記閲覧者端末に対して送信する処理と、を実行させる、
コンピュータプログラム。
【発明の詳細な説明】
【技術分野】
【０００１】
本発明は、動画の投稿を受け付けると共に、これを受付日や撮影日などの日付別に分類して、配信可能に公開する技術に関する。
【背景技術】
【０００２】
近年、スマートフォンに見られるように、データ通信速度の高い端末が普及してきている。今後はさらに、ＬＴＥ（Long Term Evolution）の普及なども見込まれ、データ通信速度は今以上に向上するものと思われる。
このようにデータ通信速度の高い携帯端末が一般に普及すれば、これまで携帯端末では不便であった動画などの大容量のデータの通信が手軽なものになると考えられる。
【０００３】
一方、ブログ（Weblog：ウェブログ）などに見られるように、個人の体験や特定のトピックなどを日記のように記録して公開し、情報を発信するサービスが普及している。ブログなどでは、携帯端末からでも容易に情報の更新を行うことができ、携帯端末で撮影された写真がアップロードされたりしている。
【０００４】
このような背景の下、特許文献１では、携帯電話機に記憶されている動画をWebサーバに投稿することができる投稿方法であって、ユーザの携帯電話機の機体番号を取得するステップと、取得した機体番号に対して、固有のチャンネル番号を発行するステップと、ユーザの携帯電話機に記憶された動画を、チャンネル番号又は機体番号を関連付けてメールサーバに投稿するステップと、これをWebサーバにアップロードするステップを実行する技術が提案されている。
また、特許文献２では、デジタルカメラ等の機器に保存されている複数コンテンツのコンテンツを取り込んだ上、当該複数のコンテンツのサムネイルを、時計回りに時刻の新しいコンテンツの順に配置すると共に、サムネイルによりコンテンツを選択可能に表示する技術が提案されている。
また、特許文献３では、撮影されたコンテンツを共有サーバに蓄積すると共に、蓄積されたコンテンツを一覧により示して公開するシステムであって、コンテンツ一覧では、コンテンツの有無を時間帯別に表示する技術が提案されている。
【先行技術文献】
【特許文献】
【０００５】
【特許文献１】特開２００８―７１３３０号公報
【特許文献２】特開２０１０―３３１３２号公報
【特許文献３】特開２０１０―１５４３７７号公報
【発明の概要】
【発明が解決しようとする課題】
【０００６】
特許文献１記載の技術では、単に動画がＷｅｂサーバにアップロードされるに過ぎず、どのような動画が蓄積されているかを把握し、所望の動画の配信を容易に見つけるための技術については開示がない。
また、特許文献２記載の技術では、コンテンツのサムネイルを時間順に並べて表示しているが、デジタルカメラ等の機器からコンテンツを収集し、これを整理しているに過ぎず、動画の投稿を受け付ける技術については何ら開示がない。
また、特許文献３記載の技術では、コンテンツごとに全ての時間帯を表示し、どの時間帯に属するコンテンツかを表示しているため、一覧として一度に表示できるコンテンツの数が限られ、所望のコンテンツを見つけにくい。また、コンテンツを登録する際、いちいちイベントを選択しなければならず、面倒である。
【０００７】
そこで、本発明は、イベントごとの動画データを所定のＷｅｂページに集約して公開すると共に、当該Ｗｅｂページの閲覧者が、所望の動画データを見つけやすいシステムを提供することを目的とする。
【課題を解決するための手段】
【０００８】
上記目的を達成するため、本発明の一の観点に係る動画公開装置は、撮影開始日時情報をメタデータに含む動画データを投稿する投稿者が利用する複数の投稿者端末と、当該投稿された動画データを閲覧する閲覧者が利用する閲覧者端末と、ネットワークを介して通信可能に構成され、イベントごとに用意されたＷｅｂページ上において、投稿された動画データを公開する装置であって、上記動画データと、上記動画データのサムネイルと、上記動画データの撮影開始日時情報とを関連付けて記憶する動画情報記憶手段と、上記イベントを識別するイベント識別情報と、イベントごとに用意されたＷｅｂページであって、上記投稿者によって投稿された動画データのサムネイルを表示するＷｅｂページと、を相互に関連付けて記憶するイベント情報記憶手段と、上記投稿者端末から、イベント識別情報と、動画データとを受信する動画データ受信手段と、上記動画データの撮影開始日時情報を取得する撮影日時情報取得手段と、上記動画データのサムネイルを生成するサムネイル生成手段と、上記動画データのサムネイルの生成に応じて、上記受信した動画データと、上記生成したサムネイルと、上記取得した撮影開始日時情報とを関連付けて上記動画情報記憶手段に登録する動画情報登録手段と、上記イベント情報記憶手段を参照して、上記受信したイベント識別情報と関連付けられたＷｅｂページを特定するページ特定手段と、上記受信した動画データの登録に応じて、上記特定したＷｅｂページを、上記動画情報記憶手段に記憶されている全ての動画データのサムネイルを上記動画データの撮影開始日時順に並べて表示させたＷｅｂページに更新するページ更新手段と、上記閲覧者端末から、所定のイベントのＷｅｂページの閲覧要求を受信する閲覧要求受信手段と、上記イベント情報記憶手段を参照して、上記閲覧要求されたＷｅｂページを抽出するページ抽出手段と、上記閲覧者端末に対して、上記抽出したＷｅｂページを送信するＷｅｂページ送信手段と、上記閲覧者端末から、上記Ｗｅｂページ上に表示されたサムネイルに対応する動画データの配信要求を受信する配信要求受信手段と、上記動画情報記憶手段を参照して、上記サムネイルによって特定される動画データを、上記閲覧者端末に対して配信する配信手段と、を有することを特徴とする。
【０００９】
ここいうイベントには、スポーツやコンサートなどの催し物のほか、テーマをも含む。テーマとは、何かしらについての主題あるいは題目である。
したがって、イベントについての動画データといった場合、スポーツやコンサートの内容を撮影したもののほか、あるテーマに関しての撮影されたものが含まれる。
【００１０】
また、上記イベント情報記憶手段を参照して、上記受信したイベント識別情報に係るイベントの開催時間帯情報を抽出するイベント情報抽出手段と、上記抽出したイベントの開催時間帯情報と、上記動画データの撮影開始日時情報に基づき、上記イベントの開催時間帯に、上記動画データが撮影されていたか否かを判断する判断処理手段と、をさらに有し、上記イベント情報記憶手段は、上記イベントを識別するイベント識別情報と、イベントごとに用意されたＷｅｂページであって、上記投稿者によって投稿された動画データのサムネイルを表示するＷｅｂページと、上記イベントの開催時間帯情報と、を相互に関連付けて記憶し、上記サムネイル生成手段は、上記判断処理の結果、上記イベントの開催時間帯に上記動画データが撮影されていたときに、上記動画データのサムネイルを生成するものとしてもよい。
【００１１】
また、上記動画データのメタデータにはさらに、撮影終了日時情報又は再生時間情報が含まれ、上記イベント情報記憶手段を参照して、上記受信したイベント識別情報に係るイベントの開催時間帯情報を抽出するイベント情報抽出手段と、上記抽出したイベントの開催時間帯情報と、上記動画データの撮影開始日時情報と、上記撮影終了日時情報又は再生時間情報とから導かれる上記動画データの撮影時間帯とに基づき、上記イベントの開催時間帯と上記動画データの撮影時間帯とが重複するか否かを判断する判断処理手段と、をさらに有し、上記イベント情報記憶手段は、上記イベントを識別するイベント識別情報と、イベントごとに用意されたＷｅｂページであって、上記投稿者によって投稿された動画データのサムネイルを表示するＷｅｂページと、上記イベントの開催時間帯情報と、を相互に関連付けて記憶し、上記撮影日時情報取得手段は、上記動画データの撮影開始日時情報と、上記撮影終了日時情報又は再生時間情報とを取得し、上記サムネイル生成手段は、上記判断処理の結果、上記イベントの開催時間帯と上記動画データの撮影時間帯とに重複する時間があったときに、上記動画データのサムネイルを生成するものとしてもよい。
【００１２】
また、上記イベント識別情報は、各イベントに固有のメールアドレスとして構成され、上記動画データ受信手段は、上記投稿者端末から、動画データが添付され、上記イベント識別情報を宛先とした電子メールを受信し、上記ページ特定手段は、上記イベント情報記憶手段を参照して、上記電子メールのメールアドレスとして構成されたイベント識別情報と関連付けられたＷｅｂページを特定するものとしてもよい。
【００１３】
また、上記イベント識別情報を発行するイベント識別情報発行手段、をさらに有するものとしてもよい。
【００１４】
また、上記動画データの受信日時情報を取得する受信日時情報取得手段と、上記動画情報登録手段によって上記受信した動画データを上記動画情報記憶手段に登録したことにより、上記動画情報記憶手段に記憶されている動画データの数が所定の数を超えたときに、上記動画情報記憶手段に記憶されている動画データを、受信日時が古いものから順に、上記所定の数を超えた分だけ削除する削除処理手段と、をさらに有し、上記動画情報記憶手段は、上記動画データと、上記動画データのサムネイルと、上記動画データの撮影開始日時情報と、上記動画データの受信日時情報とを関連付けて記憶し、上記動画情報登録手段は、上記動画データのサムネイルの生成に応じて、上記受信した動画データと、上記生成したサムネイルと、上記取得した撮影開始日時情報と、上記取得した受信日時情報とを関連付けて上記動画情報記憶手段に登録するものとしてもよい。
【００１５】
また、上記投稿者又は閲覧者には、上記投稿者又は閲覧者を識別するユーザ識別情報が発行されており、上記ページ抽出手段により抽出したＷｅｂページにおいて、上記動画情報記憶手段を参照し、上記閲覧要求受信手段により上記閲覧者端末から受信したユーザ識別情報と同一のユーザ識別情報と関連付けられたサムネイルを特定すると共に、当該サムネイルに対し、他のサムネイルと区別するための識別効果を設定する識別効果設定手段、をさらに有し、上記動画データ受信手段は、上記投稿者端末から、ユーザ識別情報と、イベント識別情報と、動画データとを受信し、上記動画情報記憶手段は、上記ユーザ識別情報と、上記動画データと、上記動画データのサムネイルと、上記動画データの撮影開始日時情報と、取得した場合には上記動画データの受信日時情報とを関連付けて記憶し、上記閲覧要求受信手段は、上記閲覧者端末から、上記ユーザ識別情報と共に、所定のイベントのＷｅｂページの閲覧要求を受信し、上記Ｗｅｂページ送信手段は、上記閲覧者端末に対して、上記識別効果が設定されたＷｅｂページを送信するものとしてもよい。
【００１６】
また、本発明の別の構成に係る動画公開装置は、動画データを投稿する投稿者が利用する複数の投稿者端末と、当該投稿された動画データを閲覧する閲覧者が利用する閲覧者端末と、ネットワークを介して通信可能に構成され、イベントごとに用意されたＷｅｂページ上において、投稿された動画データを公開する装置であって、上記動画データと、上記動画データのサムネイルと、上記動画データの受信日時情報とを関連付けて記憶する動画情報記憶手段と、上記イベントを識別するイベント識別情報と、イベントごとに用意されたＷｅｂページであって、上記投稿者によって投稿された動画データのサムネイルを表示するＷｅｂページと、を相互に関連付けて記憶するイベント情報記憶手段と、上記投稿者端末から、イベント識別情報と、動画データとを受信する動画データ受信手段と、上記動画データの受信日時情報を取得する受信日時情報取得手段と、上記受信した動画データのサムネイルを生成するサムネイル生成手段と、上記動画データのサムネイルの生成に応じて、上記受信した動画データと、上記生成したサムネイルと、上記取得した受信日時情報とを関連付けて上記動画情報記憶手段に登録する動画情報登録手段と、上記イベント情報記憶手段を参照して、上記受信したイベント識別情報と関連付けられたＷｅｂページを特定するページ特定手段と、上記受信した動画データの登録に応じて、上記特定したＷｅｂページを、上記動画情報記憶手段に記憶されている全ての動画データのサムネイルを上記動画データの受信日時順に並べて表示させたＷｅｂページに更新するページ更新手段と、上記閲覧者端末から、所定のイベントのＷｅｂページの閲覧要求を受信する閲覧要求受信手段と、上記イベント情報記憶手段を参照して、上記閲覧要求されたＷｅｂページを抽出する抽出処理手段と、上記閲覧者端末に対して、上記抽出したＷｅｂページを送信するＷｅｂページ送信手段と、上記閲覧者端末から、上記Ｗｅｂページ上に表示されたサムネイルに対応する動画データの閲覧要求を受信する閲覧要求受信手段と、上記動画情報記憶手段を参照して、上記サムネイルによって特定される動画データを、上記閲覧者端末に対して配信する動画データ配信手段と、を有することを特徴とする。
【００１７】
また、上記動画情報登録手段によって上記受信した動画データを上記動画情報記憶手段に登録したことにより、上記動画情報記憶手段に記憶されている動画データの数が所定の数を超えたときに、上記動画情報記憶手段に記憶されている動画データを、受信日時が古いものから順に、上記所定の数を超えた分だけ削除する削除処理手段、をさらに有するものとしてもよい。
【００１８】
また、本発明の別の観点に係る動画公開方法は、撮影開始日時情報をメタデータに含む動画データを投稿する投稿者が利用する複数の投稿者端末と、当該投稿された動画データを閲覧する閲覧者が利用する閲覧者端末と、ネットワークを介して通信可能に構成され、上記動画データと、上記動画データのサムネイルと、上記動画データの撮影開始日時情報とを関連付けて記憶する動画情報記憶手段と、上記イベントを識別するイベント識別情報と、イベントごとに用意されたＷｅｂページであって、上記投稿者によって投稿された動画データのサムネイルを表示するＷｅｂページと、を相互に関連付けて記憶するイベント情報記憶手段と、を有するコンピュータにより、イベントごとに用意されたＷｅｂページ上において、投稿された動画データを公開する方法であって、上記投稿者端末から、イベント識別情報と、動画データとを受信する処理と、上記動画データの撮影開始日時情報を取得する処理と、上記動画データのサムネイルを生成する処理と、上記動画データのサムネイルの生成に応じて、上記受信した動画データと、上記生成したサムネイルと、上記取得した撮影開始日時情報とを関連付けて上記動画情報記憶手段に登録する処理と、上記イベント情報記憶手段を参照して、上記受信したイベント識別情報と関連付けられたＷｅｂページを特定する処理と、上記受信した動画データの登録に応じて、上記特定したＷｅｂページを、上記動画情報記憶手段に記憶されている全ての動画データのサムネイルを上記動画データの撮影開始日時順に並べて表示させたＷｅｂページに更新する処理と、上記閲覧者端末から、所定のイベントのＷｅｂページの閲覧要求を受信する処理と、上記イベント情報記憶手段を参照して、上記閲覧要求されたＷｅｂページを抽出する処理と、上記閲覧者端末に対して、上記抽出したＷｅｂページを送信する処理と、上記閲覧者端末から、上記Ｗｅｂページ上に表示されたサムネイルに対応する動画データの配信要求を受信する処理と、上記動画情報記憶手段を参照して、上記サムネイルによって特定される動画データを、上記閲覧者端末に対して配信する処理と、を実行することを特徴とする。
【００１９】
また、本発明のさらに別の観点に係るコンピュータプログラムは、撮影開始日時情報をメタデータに含む動画データを投稿する投稿者が利用する複数の投稿者端末と、当該投稿された動画データを閲覧する閲覧者が利用する閲覧者端末と、ネットワークを介して通信可能に構成され、上記動画データと、上記動画データのサムネイルと、上記動画データの撮影開始日時情報とを関連付けて記憶する動画情報記憶手段と、上記イベントを識別するイベント識別情報と、イベントごとに用意されたＷｅｂページであって、上記投稿者によって投稿された動画データのサムネイルを表示するＷｅｂページと、を相互に関連付けて記憶するイベント情報記憶手段と、を有するコンピュータを、イベントごとに用意されたＷｅｂページ上において、投稿された動画データを公開する動画公開装置として機能させるためのプログラムであって、上記コンピュータに、上記投稿者端末から、イベント識別情報と、動画データとを受信する処理と、上記動画データの撮影開始日時情報を取得する処理と、上記動画データのサムネイルを生成する処理と、上記動画データのサムネイルの生成に応じて、上記受信した動画データと、上記生成したサムネイルと、上記取得した撮影開始日時情報とを関連付けて上記動画情報記憶手段に登録する処理と、上記イベント情報記憶手段を参照して、上記受信したイベント識別情報と関連付けられたＷｅｂページを特定する処理と、上記受信した動画データの登録に応じて、上記特定したＷｅｂページを、上記動画情報記憶手段に記憶されている全ての動画データのサムネイルを上記動画データの撮影開始日時順に並べて表示させたＷｅｂページに更新する処理と、上記閲覧者端末から、所定のイベントのＷｅｂページの閲覧要求を受信する処理と、上記イベント情報記憶手段を参照して、上記閲覧要求されたＷｅｂページを抽出する処理と、上記閲覧者端末に対して、上記抽出したＷｅｂページを送信する処理と、上記閲覧者端末から、上記Ｗｅｂページ上に表示されたサムネイルに対応する動画データの配信要求を受信する処理と、上記動画情報記憶手段を参照して、上記サムネイルによって特定される動画データを、上記閲覧者端末に対して配信する処理と、を実行させる。
【発明の効果】
【００２０】
本発明によれば、イベントごとの動画データが所定のＷｅｂページに集約して公開され、各同がデータのサムネイルの所定の順に並べられているため、Ｗｅｂページの閲覧者が、所望の動画データを用意に見つけることができる。
【図面の簡単な説明】
【００２１】
【図１】本発明の実施形態に係る動画公開装置によって実行される一連の処理の概要を示した概要図である。
【図２】本実施形態に係る動画公開装置が備える機能を示した機能ブロック図である。
【図３】本実施形態におけるユーザ情報記憶部に記憶されるデータの一例を示した図である。
【図４】本実施形態におけるイベント情報記憶部に記憶されるデータの一例を示した図である。
【図５】本実施形態における動画情報記憶部に記憶されるデータの一例を示した図である。
【図６】本実施形態に係る動画公開装置による処理のうち、投稿者端末から動画データの投稿を受け付ける処理の流れを示したシーケンス図である。
【図７】本実施形態に係る動画公開装置による処理において、投稿者が動画データを投稿する際に作成する電子メールの入力例を示した図である。
【図８】本実施形態に係る動画公開装置によって提供されるイベントごとのＷｅｂページの画面例を示した図である。
【図９】本実施形態に係る動画公開装置によって提供されるイベントごとのＷｅｂページの画面例を示した図である。
【図１０】本実施形態に係る動画公開装置による処理のうち、閲覧者端末に対して動画データを配信する処理の流れを示したシーケンス図である。
【図１１】本実施形態に係る動画公開装置によって提供されるイベントごとのＷｅｂページの画面例を示した図である。
【図１２】本発明の第二の実施形態における動画情報記憶部に記憶されるデータの一例を示した図である。
【図１３】本発明の第三の実施形態に係る動画公開装置が備える機能を示した機能ブロック図である。
【図１４】本実施形態における動画情報記憶部に記憶されるデータの一例を示した図である。
【図１５】本実施形態に係る動画公開装置による処理のうち、投稿者端末から動画データの投稿を受け付ける処理の流れを示したシーケンス図である。
【図１６】本実施形態に係る動画公開装置によって提供されるイベントごとのＷｅｂページの画面例を示した図である。
【図１７】本発明の実施形態に係る動画公開装置によって提供されるイベントごとのＷｅｂページの画面例を示した図である。
【発明を実施するための形態】
【００２２】
次に、本発明の実施形態に係る動画公開装置について、図を参照して説明する。
まず、図１により、本実施形態に係る動画公開装置による処理の全体について、その概要を説明する。
なお、予め動画公開装置１によって、スポーツやコンサートなどのイベントごとに、当該イベントに関連する動画の投稿を受け付け、公開・配信するためのＷｅｂページが用意されている。
また、各イベントには、イベントを識別するためのイベントＩＤが発行されている。本実施形態の概略の説明では、イベントＩＤが、イベントに固有のメールアドレスとして構成されている場合を例にとる。
【００２３】
スポーツやコンサートなど、各種のイベントに参加等した投稿者は、投稿者端末２によりイベントの様子を撮影する（Ｓ１）。
投稿者は、撮影によって得られた動画データを投稿するべく、イベントの会場に設置された会場端末４からイベントＩＤを取得する（Ｓ２）。
なお、本実施形態において、イベントごとに発行され、メールアドレスとして構成されたイベントＩＤは、ＱＲコード（登録商標）等のニ次元バーコードにコード化され、イベントの会場内に設置された会場端末４のディスプレイに表示されている。投稿者は、これを投稿者端末２で読み取ってデコードすることにより、イベントＩＤを取得することができる。
【００２４】
投稿者は、取得したイベントＩＤを宛先とし、撮影によって得られた動画データを添付した電子メールにより、動画データを投稿する（Ｓ３）。
投稿者端末２から送信された電子メールは、動画公開装置１が取得する。
そして動画公開装置１は、メールアドレスによってイベントを識別すると共に、当該識別されたイベントに対して用意されたＷｅｂページ上に、電子メールに添付されていた動画データをアップロードする（Ｓ４）。
【００２５】
動画公開装置１は、閲覧者から、閲覧者端末３を介してイベントごとに用意されたＷｅｂページの閲覧要求を受信すると、該当するＷｅｂページを提供する。さらに、当該Ｗｅｂページにアップロードされている動画データの配信要求に応じて、動画データを配信する（Ｓ５）。
【実施例１】
【００２６】
続いて、本発明の第一の実施形態に係る動画公開装置による一連の処理を実現するための具体的な構成について、図２を参照して説明する。
本実施形態に係る動画公開装置１は、動画データを投稿する投稿者が利用する投稿者端末２と、動画データの閲覧者が利用する閲覧者端末３と、イベント会場内に設置された会場端末４と、インターネット等のネットワークＮＷを介して通信可能に構成されている。
【００２７】
なお、本実施形態において投稿者と閲覧者はいずれも、動画公開装置１によって提供されるサービスを利用する主体であるが、その立場は観念的なものである。そのため、当該サービスの利用者は、当該サービスを利用する立場によって投稿者にも閲覧者にもなり得る。
本実施形態では、投稿者と閲覧者とをまとめてユーザと称し、その立場に基づいて、ユーザが動画データを投稿する際には当該ユーザを投稿者と称し、ユーザが動画データを閲覧する際には当該ユーザを閲覧者と称する。
また、ユーザの数は特に限られることはなく、複数のユーザが同時に、本実施形態に係る動画公開装置１によって提供されるサービスを利用し得る。
【００２８】
動画公開装置１は、CPU（Central Processing Unit）、CPUが実行するコンピュータプログラム、コンピュータプログラムや所定のデータを記憶するRAM（Random Access Memory）やROM（Read Only Memory）、及びハードディスクドライブなどの外部記憶装置により、ユーザ情報記憶部１０１、イベント情報記憶部１０２、動画情報記憶部１０３、イベントＩＤ発行部１０４、撮影日時情報取得部１０５、イベント情報抽出部１０６、判断処理部１０７、サムネイル生成部１０８、動画情報登録部１０９、ページ特定部１１０、ページ更新部１１１、ページ抽出部１１２、識別効果設定部１１３、通信処理部１１４、配信処理部１１５、からなる各機能ブロックを構成する。
【００２９】
ユーザ情報記憶部１０１は、本実施形態に係る動画公開装置１によって提供されるサービスの利用者であって、動画データの投稿者又は閲覧者となり得るユーザに関する情報を記憶することができる記憶部である。
なお、本実施形態において、投稿者として動画データを投稿するためには、ユーザ登録を行うことが前提となっており、ユーザ登録によってユーザに関する情報がユーザ情報記憶部１０１に記憶される。
【００３０】
このユーザ情報記憶部１０１には例えば、図３に示されるように、ユーザを識別するユーザＩＤ、ユーザを認証するためのパスワードが相互に関連付けて記憶されている。
ユーザＩＤは、ユーザを識別するための情報であり、本実施形態では、ユーザが利用する電子メールのメールアドレスをユーザＩＤとして利用している。
また、ユーザ情報記憶部１０１にはこのほか、氏名や住所等の個人情報などを記憶するものとしてもよい。
【００３１】
イベント情報記憶部１０２は、イベントに関する情報を記憶することができる記憶部である。
このイベント情報記憶部１０２には例えば、図４に示されるように、イベントごとに、イベントを識別するイベントＩＤ、イベントの開催時間帯、イベントごとに用意されたＷｅｂページが相互に関連付けて記憶されている。
【００３２】
開催時間帯は、イベントが開催されていた時間を示す情報であり、例えば、イベントの開始日時と終了日時とから構成される。
なお、この開催時間帯に係る情報は、後述する判断処理部１０７による処理において、動画データの投稿を受け付ける際の基準となり、当該開催時間帯に撮影が行なわれた動画データについてのみ、投稿が受け付けられる。そのため、この開催時間帯に係る情報は必ずしも、イベントの開催時間帯と厳密に一致する必要はなく、動画データの投稿を受け付ける時間帯として、運営者等によって任意に設定されるものであってもよい。
【００３３】
イベントごとに用意されたＷｅｂページについては、実際には当該Ｗｅｂページを構成するためのＨＴＭＬファイルなどによって記憶されている。そして、ＨＴＭＬファイルには、Ｗｅｂページにアップロードするサムネイルの参照先情報や、動画データの参照先情報などが埋め込まれている。
また、イベントごとに用意されたＷｅｂページは必ずしも、一つのページのみからな構成されるわけではなく、相互にリンクした複数のＷｅｂページによって構成されることもある。
【００３４】
動画情報記憶部１０３は、投稿者端末２から投稿された動画データに関する情報を記憶することができる記憶部である。
この動画情報記憶部１０３には例えば、図５に示されるように、投稿を受け付けられた動画データ、動画データのサムネイル、電子メールによる投稿の際に併せて受け付けたテキスト情報、閲覧者から受け付けた動画データに関する評価情報、動画データを投稿した投稿者のユーザＩＤを相互に関連付けて記憶することができる。
【００３５】
動画データ、サムネイル、テキスト情報、及び投稿者のユーザＩＤは、投稿者端末２から動画データが添付された電子メールを受信した後、判断処理部１０７によって投稿が受け付けられたときに、動画情報登録部１０９によって登録される。
また、評価情報は、閲覧者が動画データを視聴した際の評価であり、閲覧者端末３から随時受け付けられ、その都度登録される。
【００３６】
動画データは、動画データのファイル名、動画そのものであるバイナリデータ、メタデータなどから構成される。
動画データのメタデータには少なくとも、動画データの撮影開始日時に関する情報が含まれる。
動画データのサムネイルは、ファイル名、サムネイルとしての画像そのものであるバイナリデータなどから構成される。
【００３７】
イベントＩＤ発行部１０４は、イベントを識別するイベントＩＤを発行する機能部である。
本実施形態において、このイベントＩＤ発行部１０４によって発行されるイベントＩＤは、イベントごとに用意されたＷｅｂページに動画データを投稿する宛先として固有のメールアドレスにより構成されている。
イベントＩＤとしてのメールアドレスを宛先とした電子メールは全て、所定のメールサーバ等によって動画公開装置１に供給される。
【００３８】
撮影日時情報取得部１０５は、動画データのメタデータを解析して、撮影開始日時に係る情報を取得する処理を実行する。
【００３９】
イベント情報抽出部１０６は、投稿者端末２から、動画データが添付された電子メールを受信した際、イベント情報記憶部１０２を参照して、当該電子メールのメールアドレスとして構成されたイベントＩＤに基づき、イベントの開催時間帯に係る情報を抽出する処理を実行する。
【００４０】
判断処理部１０７は、イベント情報抽出部１０６によって抽出されたイベントの開催時間帯に係る情報と、撮影日時情報取得部１０５によって取得された撮影開始日時に係る情報とに基づき、電子メールによって投稿された動画データが、イベントの開催時間帯に撮影されたものであるか否かを判断する処理を実行する。
【００４１】
例えば、イベントの開催時間帯が、２０１１年６月５日１５時から１７時である場合に、投稿された動画データの撮影開始日時が２０１１年６月５日１６時であるとき、撮影開始日時がイベントの開催時間帯に属することから、当該投稿された動画データは、イベント開催中に撮影されたものと判断する。
一方、同様にイベントの開催時間帯が、２０１１年６月５日１５時から１７時である場合に、投稿された動画データの撮影開始日時が２０１１年６月５日１８時であるとき、撮影開始日時がイベントの開催時間帯に属さないことから、当該投稿された動画データは、イベント開催中に撮影されたものではないと判断する。
【００４２】
サムネイル生成部１０８は、投稿者から投稿された動画データのサムネイル（thumbnail）を生成する処理を実行する。
このサムネイル生成部１０８は例えば、動画データの冒頭の一場面を静止画に変換すると共に、これを縮小させることによってサムネイルを生成する。
【００４３】
動画情報登録部１０９は、サムネイル生成部１０８による動画データのサムネイルの生成に応じて、新たに受信した動画データを、生成されたサムネイル、取得された撮影開始日時情報、投稿メールの件名欄及び本文欄に入力されたテキスト情報、及びユーザＩＤと関連付けて動画情報記憶部１０３に登録する処理を実行する。
【００４４】
ページ特定部１１０は、イベント情報記憶部１０２を参照して、投稿者端末２から受信した電子メールのメールアドレスとして構成されたイベントＩＤと関連付けられたＷｅｂページを特定する処理を実行する。
なお、この処理は、投稿者端末２から動画データが添付された電子メールを受信した後、判断処理部１０７によって投稿が受け付けられ、動画情報登録部１０９によって新たな動画データと当該動画データのサムネイルとが動画情報記憶部１０３に登録されるたびに実行される。
【００４５】
ページ更新部１１１は、動画情報登録部１０９によって新たに動画データが登録されたときに、当該動画データをアップロードするＷｅｂページを更新する処理を実行する。
この処理では、ページ特定部１１０によってＷｅｂページが特定された後、当該特定されたＷｅｂページに、新たに動画情報記憶部１０３に登録された動画データのサムネイルをアップロードして、イベント情報記憶部１０２に記憶されているＷｅｂページを更新する。この際、動画情報記憶部１０３に記憶されている各動画データの撮影開始日時情報に基づき、当該Ｗｅｂページにアップロードされる全ての動画データのサムネイルを、動画データの撮影開始日時順に並べて表示させる。
【００４６】
ページ抽出部１１２は、閲覧者端末３から、所定のイベントに対して用意されたＷｅｂページの閲覧要求を受信した際に、イベント情報記憶部１０２を参照して、閲覧要求されたＷｅｂページを抽出する処理を実行する。
【００４７】
識別効果設定部１１３は、動画情報記憶部１０３を参照して、ページ抽出部１１２によって抽出されたＷｅｂページにアップロードされているサムネイルのうち、閲覧者端末３からＷｅｂページの閲覧要求と共に受信したユーザＩＤと同じユーザＩＤと関連付けて記憶されているサムネイルを特定する。そして、特定したサムネイルに対して、Ｗｅｂページにアップロードされている他のサムネイルと区別するための識別効果を設定する。
ここで、特定されたサムネイルに対して設定する識別効果は例えば、所定の色による色付け、色味の反転など、各種の方法によることができ、他のサムネイルと区別することができる限り、特にその方法は限定されない。
【００４８】
通信処理部１１４は、投稿者端末２、閲覧者端末３、及び会場端末４とインターネット等のネットワークＮＷを介し、所定のプロトコルに従ってデータの送受信処理を実行する処理部であって、Ｗｅｂブラウザやメーラー等により実現される。
この通信処理部１１４は例えば、投稿者端末２との間において、動画データが添付された電子メールを受信したりする。
また、閲覧者端末３との間において、閲覧者のユーザＩＤと共に所定のイベントのＷｅｂページの閲覧要求を受信して、要求されたＷｅｂページを送信したり、Ｗｅｂページ中に表示されたサムネイルに対応する動画データの配信要求を受信したりする。
また、会場端末４との間において、イベントＩＤを送信したりする。
【００４９】
配信処理部１１５は、閲覧者端末３から、閲覧者がＷｅｂページ上で指定したサムネイルに対応する動画データの配信要求があった際に、動画情報記憶部１０３を参照して、当該配信要求された動画データを、閲覧者端末３に対して配信する処理を実行する。
なお、動画データの配信は、閲覧者が閲覧者端末３によって動画データを視聴することができるものであればよく、例えば、ストリーミング配信やダウンロードなどの方法によることができる。
【００５０】
投稿者端末２は、投稿者が利用する端末であって、例えば、カメラ付きの携帯電話機やタブレット端末などによって実現される。
この投稿者端末２は、ＣＰＵ（Central Processing Unit）や、ＣＰＵが実行するコンピュータプログラム、コンピュータプログラムや所定のデータを記憶するＲＡＭ（Random Access Memory）やＲＯＭ（Read Only Memory）などにより、撮影部２０１、計時部２０２、動画情報記憶部２０３、入出力処理部２０４、通信処理部２０５からなる機能ブロックを構成する。
また、この投稿者端末２は、インターネット等のネットワークＮＷを介して、動画公開装置１と通信可能に構成されている。
【００５１】
撮影部２０１は、投稿者によるイベントの撮影に応じて、音声と映像からなる動画データを生成し、ＭＰＥＧ（Moving Picture Experts Group）やＡＶＩ（Audio Video Interleave）などの所定のファイル形式で保存する処理を実行する機能部であって、例えば、ＣＣＤカメラなどによって構成される。
また、この撮影部２０１は、ＱＲコード（登録商標）等のニ次元バーコードを撮像すると共に、撮像したニ次元バーコードをデコードする処理を実行することもできる。
なお、撮影部２０１によって生成、保存される動画データには、メタデータを格納するフィールドが設けられている。本実施形態では、このメタデータに少なくとも、撮影開始日時に係る情報が含まれる。この撮影開始日時は、撮影開始時に計時部２０２を参照することによって取得される。
【００５２】
計時部２０２は、現在の日時情報を提供する機能部である。
この計時部２０２によって提供される日時情報を参照することによって、動画データの撮影開始日時を把握することができる。
【００５３】
動画情報記憶部２０３は、撮影部２０１によって生成された動画データを記憶することができる記憶部である。
【００５４】
入出力処理部２０４は、データの入出力を実行する処理部であって、データを出力するためのディスプレイやスピーカ、データを入力するためのテンキーやキーボード、タッチパネルなどにより実現される。
この入出力処理部２０４により例えば、動画データを添付した電子メールを作成したり、撮影した動画データを確認したりすることができる。
【００５５】
通信処理部２０５は、動画公開装置１とインターネット等のネットワークＮＷを介し、所定のプロトコルに従ってデータの送受信処理を実行する処理部であって、Ｗｅｂブラウザやメーラー等により実現される。
この通信処理部２０５により例えば、動画公開装置１との間において、動画データが添付された電子メールを送信したりすることができる。
【００５６】
閲覧者端末３は、イベントごとのＷｅｂページを閲覧すると共に、イベントに関する動画データの配信を受けて、これを視聴する閲覧者が利用する端末である。
この閲覧者端末３は例えば、いわゆるパーソナルコンピュータや、携帯電話機、タブレット端末などにより実現され、ＣＰＵ（Central Processing Unit）や、ＣＰＵが実行するコンピュータプログラム、コンピュータプログラムや所定のデータを記憶するＲＡＭ（Random Access Memory）やＲＯＭ（Read Only Memory）などにより、入出力処理部３０１、通信処理部３０２からなる機能ブロックを構成する。
【００５７】
入出力処理部３０１は、データの入出力を実行する処理部であって、データを出力するためのディスプレイやスピーカ、データを入力するためのマウスやキーボード、タッチパネルなどにより実現される。
この入出力処理部３０１により例えば、イベントごとのＷｅｂページを閲覧したり、所望の動画データを視聴したりすることができる。
【００５８】
通信処理部３０２は、動画公開装置１とインターネット等のネットワークＮＷを介し、所定のプロトコルに従ってデータの送受信処理を実行する処理部であって、Ｗｅｂブラウザ等により実現される。
この通信処理部３０２により例えば、動画公開装置１との間で、イベントごとのＷｅｂページの閲覧要求を送信したり、動画データの配信を受けたりすることができる。
【００５９】
会場端末４は、イベント会場等に設置された端末であり、例えば、いわゆるパーソナルコンピュータにより実現される。
この会場端末４は、インターネット等のネットワークＮＷを介して通信可能に構成された動画公開装置１から、イベントＩＤを受信し、これをニ次元バーコードにコード化してディスプレイ上に表示させる。
なお、イベントＩＤは予め、動画公開装置１においてコード化されていてもよい。
【００６０】
次に、本実施形態に係る動画公開装置１による一連の処理の流れの詳細について説明する。
なお、予め、イベントごとにＷｅｂページが用意され、イベントＩＤ発行部１０４によって、動画データを投稿する電子メールのメールアドレスとして構成されたイベントＩＤが発行されている。また、当該発行されたイベントＩＤは、ネットワークＮＷを介して、動画公開装置１から会場端末４に送信され、会場端末４から取得可能な状態となっている。
【００６１】
まず、図６により、投稿者端末２を介して、投稿者から動画データの投稿を受け付ける処理の流れを説明する。
イベントに参加した投稿者は、投稿者端末２を用いてイベントの撮影を行う（Ｓ１０１）。
これにより得られた動画データは、動画情報記憶部２０３に記憶される（Ｓ１０２）。
なお、動画データには、メタデータに少なくとも撮影開始日時情報が含まれている。この撮影開始日時に係る情報は、撮影開始時に計時部２０２を参照することによって取得される。
【００６２】
投稿者は、動画データを投稿するにあたり、会場内等に設置された会場端末４からイベントＩＤを取得する（Ｓ１０３）。
イベントＩＤは、イベントごとに固有のメールアドレスとして構成されており、投稿者はこのメールアドレスを宛名とし、動画データを投稿するための電子メール（以下、「投稿メール」ということがある。）を作成する。
【００６３】
図７に、投稿メール作成の例を示す。
投稿メールの宛先入力欄には、会場端末４から取得された、イベントＩＤとして構成されたメールアドレスが入力される。
件名及び本文の入力欄には、投稿者の任意によって、動画データに付随するテキストデータが入力される。
動画情報記憶部２０３に記憶された動画データは、投稿メールに添付される。
【００６４】
投稿者は、作成した投稿メールを投稿者端末２により送信することによって、動画データを投稿する（Ｓ１０４）。
【００６５】
動画公開装置１が投稿メールを受信すると、撮影日時情報取得部１０５により、動画データのメタデータを解析し、撮影開始日時情報を取得する（Ｓ１０５）。
さらに、イベント情報抽出部１０６は、メールアドレスとして構成されたイベントＩＤに基づき、イベント情報記憶部１０２を参照して、該当するイベントの開催時間帯に係る情報を抽出する（Ｓ１０６）。
【００６６】
判断処理部１０７は、抽出されたイベントの開催時間帯情報と、取得された動画データの撮影開始日時情報とに基づき、イベントの開催時間帯中に動画データの撮影が開始されていたか否かを判断する（Ｓ１０７）。
【００６７】
その結果、イベントの開催時間帯中に動画データの撮影が開始されていなかった場合には、当該動画データは、投稿者によって指定されたイベントに関するものではないものと判断し、投稿者端末２に対して、投稿が受け付けられない旨のエラーメッセージを返信するなどして処理を終了する（Ｓ１０８）。
【００６８】
一方、Ｓ１０７による判断処理の結果、イベントの開催時間帯中に動画データの撮影が開始されていた場合には、当該動画データは、投稿者によって指定されたイベントに関するものと判断し、投稿を受け付ける。
投稿の受け付けにおいてはまず、サムネイル生成部１０８により、動画データのサムネイルを生成する（Ｓ１０９）。
そして、動画情報登録部１０９により、投稿者端末２から受け付けたメール添付の動画データ、サムネイル生成部１０８によって生成されたサムネイル、投稿メールの件名欄及び本文欄に入力されたテキスト情報、撮影日時情報取得部１０５によって取得された撮影開始日時情報、及び、投稿メールの送信元アドレスとしてのユーザＩＤが相互に関連付けられて動画情報記憶部１０３に登録される（Ｓ１１０）。
【００６９】
また、新たな動画データの登録に応じて、ページ特定部１１０は、イベント情報記憶部１０２を参照して、投稿メールのメールアドレスとして構成されたイベントＩＤと関連付けられたＷｅｂページを特定する（Ｓ１１１）。
ここで、イベント情報記憶部１０２に記憶されている、イベントごとのＷｅｂページの一例を図８に示す。
Ｗｅｂページ上には、イベントに関するイベント情報１０と共に、投稿された動画のサムネイルを一覧化したサムネイル一覧１１が表示されている。
【００７０】
サムネイル一覧１１中のサムネイルには、動画情報記憶部１０３から抽出された各動画データの撮影開始日時情報やテキスト情報、評価情報などが併せて表示されている。
また、サムネイル一覧１１中のサムネイルは、各サムネイルに対応する動画データの撮影開始日時の順に並べて表示されている。
【００７１】
ページ特定部１１０によってＷｅｂページが特定されると、ページ更新部１１１は、動画情報記憶部１０３に記憶されている各動画データの撮影開始日時情報に基づき、当該Ｗｅｂページに新たに生成されたサムネイルをアップロードする。この際、当該Ｗｅｂページにアップロードされている全ての動画データのサムネイルを、各サムネイルに対応する動画データの撮影開始日時順に並べて表示させる。
【００７２】
この処理によるＷｅｂページの変更を、図８及び図９により説明する。
図８は、新たに生成されたサムネイルをアップロードする前のＷｅｂページを示しており、図９は、新たに生成されたサムネイルをアップロードした後のＷｅｂページを示している。
図９に示されるように、新たに生成されたサムネイル１１ａは、サムネイル一覧１０中において、撮影開始日時の順に即した位置に挿入されている。
即ち、新たに生成されたサムネイル１１ａに対応する動画データの撮影開始日時は２０１１年６月５日１５時１１分であったことから、２０１１年６月５日１５時７分に撮影された動画データのサムネイルと、２０１１年６月５日１５時１５分に撮影された動画データのサムネイルの間に挿入されている。
【００７３】
このように新たに投稿された動画データのサムネイルが生成されると、Ｗｅｂページに反映され、イベント情報記憶部１０２のＷｅｂページが更新される（Ｓ１１２）。
【００７４】
次に、本実施形態に係る動画公開装置１により、動画データが閲覧者に対して配信される処理の流れについて、図１０を参照して説明する。
まず、別途用意されたウェブサイト等を介し、閲覧者端末３から動画公開装置１に対して、所定のイベントのＷｅｂページの閲覧要求が送信される（Ｓ２０１）。
なお、本実施形態に係る動画公開装置１によるサービスを提供するための上記ウェブサイトには、ユーザを認証するためのログインページを設ける。これにより、ログインしてサービスの提供を受けるユーザについては、確立したセッションによってユーザを識別しながらサービスが提供され、ログインせずにサービスの提供を受けるユーザについては、特にユーザを識別しないゲストユーザとしてサービスを提供することができる。
【００７５】
閲覧者端末３からの閲覧要求に対して動画公開装置１は、ページ抽出部１１２により、イベント情報記憶部１０２を参照して、要求されたＷｅｂページを抽出する（Ｓ２０２）。
Ｗｅｂページを抽出した後、閲覧要求を送信してきた閲覧者端末３の閲覧者のユーザＩＤを取得しているか否かを判断する（Ｓ２０３）。
その結果、ユーザＩＤを取得していなかった場合、例えば、閲覧者が所定のログイン画面からログインを行っていないゲストユーザの場合には、抽出したＷｅｂページをそのまま閲覧者端末３に送信する（Ｓ２０５）。
【００７６】
一方、Ｓ２０３による判断処理の結果、閲覧者のユーザＩＤを取得していた場合、例えば、閲覧者が所定のログイン画面から、ユーザＩＤを用いてログインを行っていた場合には、抽出されたＷｅｂページにおいて、当該ユーザＩＤに係るユーザが投稿した動画データのサムネイルに、他のサムネイルと区別可能に識別効果を設定する（Ｓ２０４）。
【００７７】
識別効果の設定の処理はまず、識別効果設定部１１３により、動画情報記憶部１０３を参照して、ページ抽出部１１２によって抽出されたＷｅｂページにアップロードされているサムネイルのうち、閲覧者たるユーザのユーザＩＤと同じユーザＩＤと関連付けて記憶されているサムネイルを特定する。そして、特定したサムネイルに対して、Ｗｅｂページにアップロードされている他のサムネイルと区別するための識別効果を設定する。
【００７８】
ここで、識別効果を設定したＷｅｂページの一例を図１１に示す。
Ｗｅｂページ中、サムネイルを一覧化したサムネイル一覧１１において、閲覧者のユーザＩＤの同一のユーザＩＤと関連付けられたサムネイル１１ｂは、他のサムネイルと異なり、枠が三重の太線で囲われている。
【００７９】
識別効果が設定されたＷｅｂページは、通信処理部１１４によって、閲覧者端末３に対して送信される（Ｓ２０５）。
これにより、閲覧者は、複数あるサムネイルの中から、自分が投稿した動画データのサムネイルを識別することができる。
【００８０】
動画公開装置１からＷｅｂページの提供を受けた閲覧者は、所望の動画データを視聴したい場合、Ｗｅｂページ中のサムネイルを指定して、動画公開装置１に対し、当該指定したサムネイルに対応した動画データの配信要求を送信する（Ｓ２０６）。
【００８１】
閲覧者端末３からの配信要求に応じて動画公開装置１は、動画情報記憶部１０３を参照して、指定されたサムネイルと関連付けられた動画データを、閲覧者端末３に対して配信する（Ｓ２０７）。
以上の処理により閲覧者は、イベントに関連する自分の動画データと他者の動画データとを容易に識別し、所望の動画データを選択して視聴することができる。また、各サムネイルが撮影日時にしたがって時系列に並べられていることから、自分の視聴したい時間の動画データを容易に見つけることができる。
【００８２】
なお、本実施形態においては、ユーザＩＤを把握できない閲覧者からのＷｅｂページの閲覧要求に対しては、識別効果を設定しないＷｅｂページを提供するものとしたが、このような当該閲覧者に対しては、ログインを要求したり、ユーザ登録を求めたりするようにしてもよい。
【実施例２】
【００８３】
上記第一の実施形態では、判断処理部１０７による判断処理において、イベントの開催時間帯と動画データの撮影開始日時に係る情報に基づき、投稿された動画データが、イベントの開催時間帯に撮影されたものであるか否かを判断するものとしたが、第二の実施形態では、イベントの開催時間帯と、動画データの撮影時間帯とが重複するか否かを判断し、重複する場合に、動画データの投稿を受け付ける。
【００８４】
本例では、動画データのメタデータに、撮影開始日時情報のほか、撮影終了日時情報若しくは再生時間情報の一つ又は両方が含まれている。そのため、本例の動画情報記憶部１０３に記憶される動画データのメタデータには、図１２に示されるように、動画データの撮影開始日時に係る情報のほか、動画データの撮影終了日時若しくは再生時間のいずれか、又は両方が含まれている。
なお、メタデータに、動画データの撮影終了日時又は再生時間のいずれか一方のみしか含まれない場合であっても、撮影開始日時と再生時間、あるいは撮影開始日時と撮影終了日時とから夫々、撮影終了日時あるいは再生時間が算出される。
【００８５】
また本例では、撮影日時情報取得部１０５は、動画データのメタデータから、撮影開始日時に係る情報に加えて、撮影終了日時若しくは再生時間又はこれら両方に係る情報を取得する処理を実行する。
【００８６】
また本例では、判断処理部１０７は、イベント情報抽出部１０６によって抽出されたイベントの開催時間帯に係る情報、及び、撮影日時情報取得部１０５によって取得された動画データの撮影開始日時と、撮影終了日時又は再生時間情報に係る情報とから導かれる動画データの撮影時間帯に係る情報に基づき、投稿された動画データが、イベントの開催時間帯と動画データの撮影時間帯とが重複するか否かによって、当該動画データがイベントの開催時間帯に撮影されたものであるか否かを判断する。
【００８７】
例えば、イベントの開催時間帯が、２０１１年６月５日１５時から１７時である場合に、投稿された動画データの撮影開始日時が２０１１年６月５日１６時で、撮影終了日時が２０１１年６月５日１６時３０分であるとき、動画データの撮影時間帯は２０１１年６月５日１６時から１６時３０分と導かれ、動画データの撮影時間帯がイベントの開催時間帯と重複することから、当該投稿された動画データは、イベント開催中に撮影されたものと判断する。
また、同様にイベントの開催時間帯が、２０１１年６月５日１５時から１７時である場合に、投稿された動画データの撮影開始日時が２０１１年６月５日１６時３０分で、再生時間が１時間であるとき、動画データの撮影時間帯は２０１１年６月５日１６時３０分から１７時３０分と導かれ、動画データの撮影時間帯がイベントの開催時間帯と重複することから、当該投稿された動画データは、イベント開催中に撮影されたものと判断する。
一方、同様にイベントの開催時間帯が、２０１１年６月５日１５時から１７時である場合に、投稿された動画データの撮影開始日時が２０１１年６月５日１８時で、撮影終了日時が２０１１年６月５日１９時であるとき、動画データの撮影時間帯がイベントの開催時間帯に重複しないことから、当該投稿された動画データは、イベント開催中に撮影されたものではないと判断する。
【００８８】
本本実施形態に係る判断処理部１０７による判断処理の結果、投稿された動画データがイベントの開催時間帯に撮影されたものであると判断されたとき、ページ更新部１１１によってＷｅｂページが更新されることになる。このとき更新されるＷｅｂページ中のサムネイルは、撮影開始日時順に並べられている。
【００８９】
なお、以上の本実施形態においては、イベントの開催時間帯と、動画データの撮影時間帯とが一部でも重複する限り、当該動画データはイベント開催中に撮影されたものと判断して投稿を受け付けるものとしたが、別の実施形態では、動画データの撮影時間帯が完全に、イベントの開催時間帯に収まっている場合にのみ、当該動画データの投稿を受け付けるものとすることもできる。
【実施例３】
【００９０】
第三の実施形態では、投稿者端末２からの動画データの投稿に応じて、蓄積している動画データのうち、受信日時の古い動画データを自動的に削除する。
本実施形態に係る動画公開装置による一連の処理を実現するための具体的な構成について、図１３を参照して説明する。
【００９１】
本実施形態に係る動画公開装置５は、動画データを投稿する投稿者が利用する投稿者端末２と、動画データの閲覧者が利用する閲覧者端末３と、イベント会場内に設置された会場端末４と、インターネット等のネットワークＮＷを介して通信可能に構成されている。
なお、本実施形態における投稿者端末２、閲覧者端末３、及び会場端末４の構成は、前述したのと同様である。
【００９２】
本実施形態に係る動画公開装置５は、CPU（Central Processing Unit）、CPUが実行するコンピュータプログラム、コンピュータプログラムや所定のデータを記憶するRAM（Random Access Memory）やROM（Read Only Memory）、及びハードディスクドライブなどの外部記憶装置により、ユーザ情報記憶部１０１、イベント情報記憶部１０２、動画情報記憶部１０３、イベントＩＤ発行部１０４、撮影日時情報取得部１０５、イベント情報抽出部１０６、判断処理部１０７、サムネイル生成部１０８、動画情報登録部１０９、ページ特定部１１０、ページ更新部１１１、ページ抽出部１１２、識別効果設定部１１３、通信処理部１１４、配信処理部１１５、受信日時情報取得部１１６、削除処理部１１７からなる各機能ブロックを構成する。
なお、ユーザ情報記憶部１０１、イベント情報記憶部１０２、イベントＩＤ発行部１０４、撮影日時情報取得部１０５、イベント情報抽出部１０６、判断処理部１０７、サムネイル生成部１０８、動画情報登録部１０９、ページ特定部１１０、ページ更新部１１１、ページ抽出部１１２、識別効果設定部１１３、通信処理部１１４、配信処理部１１５の機能は、前述した第一の実施形態において対応する各機能部の機能と同様である。
【００９３】
動画情報記憶部１０３は、投稿者端末２から投稿された動画データに関する情報を記憶することができる記憶部である。
この動画情報記憶部１０３には例えば、図１４に示されるように、投稿を受け付けられた動画データ、動画データの受信日時、動画データのサムネイル、電子メールによる投稿の際に併せて受け付けたテキスト情報、閲覧者から受け付けた動画データに関する評価情報、動画データを投稿した投稿者のユーザＩＤを相互に関連付けて記憶することができる。
動画データの受信日時は、受信日時情報取得部１１６によって取得される。
【００９４】
受信日時情報取得部１１６は、動画データの受信日時情報を取得する。この受信日時情報取得部１１６は、現在日時情報を計時しながら、投稿メールを受信した際、現在日時情報を参照することにより、受信日時情報を取得する。
【００９５】
削除処理部１１７は、動画情報登録部１０９によって受信した動画データを動画情報記憶部１０３に登録したことにより、動画情報記憶部１０３に記憶されている動画データの数が所定の数を超えたときに、動画情報記憶部１０３に記憶されている動画データを、受信日時が古いものから順に、所定の数を超えた分だけ削除する。
【００９６】
次に、本実施形態に係る動画公開装置５により、投稿者端末２を介して、投稿者から動画データの投稿を受け付ける処理の流れを、図１５を参照して説明する。
イベントに参加した投稿者は、投稿者端末２を用いてイベントの撮影を行う（Ｓ３０１）。
これにより得られた動画データは、動画情報記憶部２０３に記憶される（Ｓ３０２）。
【００９７】
投稿者は、動画データを投稿するにあたり、会場内等に設置された会場端末４からイベントＩＤを取得する（Ｓ３０３）。
イベントＩＤは、イベントごとに固有のメールアドレスとして構成されており、投稿者はこのメールアドレスを宛名とし、動画データを投稿するための電子メール（「投稿メール」）を作成する。
投稿者は、作成した投稿メールを投稿者端末２により送信することによって、動画データを投稿する（Ｓ３０４）。
【００９８】
動画公開装置５が投稿メールを受信すると、受信日時情報取得部１１６により、動画データの受信日時情報を取得する（Ｓ３０５）。
また、撮影日時情報取得部１０５により、動画データのメタデータを解析し、撮影開始日時情報を取得する（Ｓ３０６）。
さらに、イベント情報抽出部１０６は、メールアドレスとして構成されたイベントＩＤに基づき、イベント情報記憶部１０２を参照して、該当するイベントの開催時間帯に係る情報を抽出する（Ｓ３０７）。
【００９９】
判断処理部１０７は、抽出されたイベントの開催時間帯情報と、取得された動画データの撮影開始日時情報とに基づき、イベントの開催時間帯中に動画データの撮影が開始されていたか否かを判断する（Ｓ３０８）。
【０１００】
その結果、イベントの開催時間帯中に動画データの撮影が開始されていなかった場合には、当該動画データは、投稿者によって指定されたイベントに関するものではないものと判断し、投稿者端末２に対して、投稿が受け付けられない旨のエラーメッセージを返信するなどして処理を終了する（Ｓ３０９）。
【０１０１】
一方、Ｓ３０８による判断処理の結果、イベントの開催時間帯中に動画データの撮影が開始されていた場合には、当該動画データは、投稿者によって指定されたイベントに関するものと判断し、投稿を受け付ける。
投稿の受け付けにおいてはまず、サムネイル生成部１０８により、動画データのサムネイルを生成する（Ｓ３１０）。
そして、動画情報登録部１０９により、投稿者端末２から受け付けたメール添付の動画データ、サムネイル生成部１０８によって生成されたサムネイル、投稿メールの件名欄及び本文欄に入力されたテキスト情報、撮影日時情報取得部１０５によって取得された撮影開始日時情報、及び、投稿メールの送信元アドレスとしてのユーザＩＤが相互に関連付けられて動画情報記憶部１０３に登録される（Ｓ３１１）。
【０１０２】
ここで、削除処理部１１７は、動画情報登録部１０９によって動画データが動画情報記憶部１０３に登録されたことにより、動画情報記憶部１０３に記憶されている動画データの数が所定の数を超えたかどうかを判断する（Ｓ３１２）。
この結果、動画情報記憶部１０３に記憶されている動画データの数が所定の数を超えた場合には、動画情報記憶部１０３に記憶されている各動画データの受信日時を参照し、受信日時が古いものから順に、所定の数を超えた分の動画データを削除する（Ｓ３１３）。
【０１０３】
また、新たな動画データの登録に応じて、ページ特定部１１０は、イベント情報記憶部１０２を参照して、投稿メールのメールアドレスとして構成されたイベントＩＤと関連付けられたＷｅｂページを特定する（Ｓ３１４）。
ここで、イベント情報記憶部１０２に記憶されている、イベントごとのＷｅｂページの一例を図１６に示す。
Ｗｅｂページ上には、イベントに関するイベント情報２０と共に、投稿された動画のサムネイルを一覧化したサムネイル一覧２１が表示されている。
【０１０４】
サムネイル一覧２１中のサムネイルには、動画情報記憶部１０３から抽出された各動画データの撮影開始日時情報やテキスト情報、評価情報などが併せて表示されている。
このサムネイル一覧２１中のサムネイルは、各サムネイルに対応する動画データの撮影開始日時の順に縦に並べて表示されているが、動画データの受信日時の順に縦に並べて表示することもできる。
【０１０５】
ページ特定部１１０によってＷｅｂページが特定されると、ページ更新部１１１は、動画情報記憶部１０３に記憶されている各動画データの撮影開始日時情報に基づき、当該Ｗｅｂページに新たに生成されたサムネイルをアップロードする。この際、当該Ｗｅｂページにアップロードされている全ての動画データのサムネイルを、各サムネイルに対応する動画データの撮影開始日時順に並べて表示させる。
【０１０６】
このように新たに投稿された動画データのサムネイルが生成されると、Ｗｅｂページに反映され、イベント情報記憶部１０２のＷｅｂページが更新される（Ｓ３１５）。
これにより、動画公開装置５に記憶させるデータの量を減らし、処理負担を軽減することができる。
また、受信日時が新しい動画データが目に付きやすくなる。
【実施例４】
【０１０７】
第四の実施形態では、撮影開始日時や撮影時間帯に基づいて動画データの投稿の受付可否を判断した以上の実施形態とは異なり、動画データの受信日時に基づいて動画データの投稿の受付可否を判断するものとしてもよい。
本実施形態については、上述した第三の実施形態の変形例として説明する。
【０１０８】
本例では、判断処理部１０７は、イベント情報抽出部１０６によって抽出されたイベントの開催時間帯に係る情報、及び、日時情報取得部１０５によって取得された投稿メールの受信日時に係る情報に基づき、投稿された動画データが、イベントの開催時間帯中に受信したか否かによって、当該動画データが、投稿者指定のイベントに関するものであるか否かを判断する。
【０１０９】
例えば、イベントの開催時間帯が、２０１１年６月５日１５時から１７時である場合に、投稿メールの受信日時が２０１１年６月５日１６時であるとき、投稿メールの受信日時がイベントの開催時間帯に属することから、当該投稿メールに添付の動画データは、イベントに関するものと判断する。
一方、同様にイベントの開催時間帯が、２０１１年６月５日１５時から１７時である場合に、投稿メールの受信日時が２０１１年６月５日１８時であるとき、投稿メールの受信日時がイベントの開催時間帯に属しないことから、当該投稿メールに添付の動画データは、イベントに関するものではないと判断する。
【０１１０】
本本実施形態に係る判断処理部１０７による判断処理の結果、投稿された動画データがイベントに関するものであると判断されたとき、ページ更新部１１１によってＷｅｂページが更新されることになる。また、このとき更新されるＷｅｂページ中のサムネイルは、投稿された動画データの受信日時順に並べられている。
【０１１１】
なお、以上の本実施形態では、投稿者端末２に、撮影部２０１、計時部２０２、動画情報記憶部２０３、入出力処理部２０４、通信処理部２０５の全ての構成を備えさせたが、撮影部２０１、計時部２０２、及び動画情報記憶部２０３の機能部はデジタルカメラなどに備えさせ、これにより取得した動画データを、携帯電話機などの別の端末から動画公開装置１に投稿させるなど、物理的に分離した別々の装置によって、投稿者端末２を構成してもよい。
【０１１２】
また、以上の本実施形態では、イベントＩＤは会場端末４から取得されるものとしたが、これに限らず、所定のＷｅｂサイト上で提供したり、イベントに関連したパンフレット等の紙媒体に印刷して提供したりしてもよい。
【０１１３】
また、以上の本実施形態において説明した構成は種々に組み合わせて実施することができる。例えば、動画データを撮影日時順に並べて表示させる構成に対して、受信日時の古い動画データを、所定の数を超えた分だけ削除する構成を付加するのみならず、動画データを受信日時順に並べて表示させる構成に対して、受信日時の古い動画データを、所定の数を超えた分だけ削除する構成を付加することができる。
その他の例では、撮影日時順に動画データを並べて表示させる構成に対して、閲覧しているユーザによって投稿された動画データに識別効果を付与する構成を付加するのみならず、受信日時順に動画データを並べて表示させる構成に対して、閲覧しているユーザによって投稿された動画データに識別効果を付与する構成を付加することもできる。
【０１１４】
また、以上の本実施形態における動画データを公開するイベントごとのＷｅｂページ上において、動画データの検索する機能を適宜、設けてもよい。
検索においては例えば、何月何日の何時何分から１０分の間に撮影が行われた動画データなど、各動画データの撮影開始日時や受信日時を、所定の時間間隔の範囲などで検索可能とするとよい。撮影開始日時や受信日時などの情報は、動画データ記憶部に記憶された各動画データのメタデータ等から得ることができる。
また、イベントごとのＷｅｂページの中から特定の動画データを検索するのみならず、イベントごとに用意された複数のＷｅｂページを横断的に検索できるようにしてもよい。
【０１１５】
また、サムネイルと併せて表示するテキスト情報は、投稿メールの本文や件名に入力されたものそのものであってもよいほか、ユーザによる任意の編集が可能なものであってもよい。この場合、ユーザごとの管理画面などにおいて、テキストを編集するための設定ツールを設けるとよい。
このような設定ツールにより、毎日同じテキストデータが挿入されるようにしたり、所定のＷｅｂサイト等へのリンクを挿入できたりするようにしてもよい。また、図１７に示されるように、テキスト情報を表示する枠内に、各種のアイコン２１ａを貼り付けられるようにしてもよい。アイコン２０ａは、所定のＷｅｂサイトへ等へのリンクが設定されたものであってもよいし、注目を引くための単なる図柄であってもよい。
【０１１６】
また、以上の本実施形態に係る動画公開装置１における動画データの投稿においては、投稿者端末２が備えるメーラーによって実行されるものとしたが、投稿者端末２用に作製した専用のアプリケーションソフトウェア（いわゆるアプリ）や、所定のＷｅｂサイト経由によって行えるようにしてもよい。
【０１１７】
投稿者端末２に組み込む専用のアプリケーションソフトウェアを用いる場合、当該アプリケーションソフトウェアは例えば、撮影部によって撮影された動画を格納する動画情報記憶部を参照して動画データを抽出する機能、抽出した動画データを、投稿者による選択入力を受付可能に画面上にサムネイル等で展開する機能、予め設定された動画公開装置１のインターネット上のアドレスを参照し、所定の通信プロトコルに従い、投稿者によって選択された動画データを投稿者識別情報やイベントＩＤと共に動画公開装置１に対して送信する機能を有する。この場合の投稿者識別情報は、予め投稿者に発行されたＩＤや、端末固有の識別番号等を用いることができる。
これによれば、動画データの投稿に特化したプログラムを用いるため、動画データの抽出や、動画データをアップロード先アドレスの入力等、投稿者による操作の一部を省略させることができ、便利である。また、当該ソフトウェアに動画データを格納したり、投稿履歴を記憶したりすることによって、操作の簡略化や利便性を向上させることができる。
【０１１８】
また、所定のＷｅｂサイト上から、動画データを投稿できるようにする場合には例えば、投稿者は、デジタルカメラやカメラ付携帯端末によって撮影された動画データを、ＰＣ等の投稿者端末に取り込むと共に、予め投稿者に発行されたログインＩＤ等によってＷｅｂサイトにログインして、当該動画データを動画公開装置にアップロードする。これによれば投稿者は、ネットワークへの通信環境を用意するだけで、動画データを投稿することができる。
【符号の説明】
【０１１９】
１、５      動画公開装置
１０１      ユーザ情報記憶部
１０２      イベント情報記憶部
１０３      動画情報記憶部
１０４      イベントＩＤ発行部
１０５      撮影日時情報取得部
１０６      イベント情報抽出部
１０７      判断処理部
１０８      サムネイル生成部
１０９      動画情報登録部
１１０      ページ特定部
１１１      ページ更新部
１１２      ページ抽出部
１１３      識別効果設定部
１１４      通信処理部
１１５      配信処理部
１１６      受信日時情報取得部
１１７      削除処理部
２          投稿者端末
２０１      撮影部
２０２      計時部
２０３      動画情報記憶部
２０４      入出力処理部
２０５      通信処理部
３          閲覧者端末
３０１      入出力処理部
３０２      通信処理部
４          会場端末
ＮＷ        ネットワーク
【図１】
2013047944.tif 000003
【図２】
2013047944.tif 000004
【図３】
2013047944.tif 000005
【図４】
2013047944.tif 000006
【図５】
2013047944.tif 000007
【図６】
2013047944.tif 000008
【図７】
2013047944.tif 000009
【図８】
2013047944.tif 000010
【図９】
2013047944.tif 000011
【図１０】
2013047944.tif 000012
【図１１】
2013047944.tif 000013
【図１２】
2013047944.tif 000014
【図１３】
2013047944.tif 000015
【図１４】
2013047944.tif 000016
【図１５】
2013047944.tif 000017
【図１６】
2013047944.tif 000018
【図１７】
2013047944.tif 000019